(57)【要約】【課題】異物の侵入を抑えるため温度センサとバーナカバーとの間の隙間を塞ぐための庇部を備え、調理容器が温度センサを押し下げていない状態におけるデザイン性の向上と、部品のバラツキや製造バラツキの影響が抑制され、安定した燃焼を可能とするガスコンロを提供する。【解決手段】外周に炎孔２８が形成されたコンロバーナ３の環状のバーナ部の中央を上下に貫通する貫通孔５０を下から上に貫通して上方に臨み、上方向への付勢力によって付勢されて調理容器Ａの底部に当接してその温度を検出する温度センサ１と、前記バーナ部の上面を覆い、温度センサ１が挿通する挿通口５３を具備するバーナカバー５２と、を備えたガスコンロ２である。温度センサ１は、バーナカバー５２より下に位置して温度センサ１の径外方向に延出するリング状の庇部１４を備え、リング状の庇部１４の外形寸法が挿通口５３の内径寸法より大きく構成される。【選択図】図７
2015064126.tif 000002
【特許請求の範囲】
【請求項１】
外周に炎孔が形成された環状のバーナ部の中央を上下に貫通する貫通孔を下から上に貫通して上方に臨み、上方向への付勢力によって付勢されて調理容器の底部に当接してその温度を検出する温度センサと、
前記バーナ部の上面を覆い、前記温度センサが挿通する挿通口を具備するバーナカバーと、を備えたガスコンロであって、
前記温度センサは、前記バーナカバーより下に位置して前記温度センサの径外方向に延出するリング状の庇部を備え、
前記リング状の庇部の外形寸法が前記挿通口の内径寸法より大きく構成されることを特徴とするガスコンロ。
【請求項２】
前記リング状の庇部の上面に、凸部が上方に向け突設され、前記リング状の庇部が前記バーナカバーの下面に近接したときに前記凸部が前記挿通口に嵌入して、前記凸部の上面と前記挿通口の周縁における前記バーナカバーの上面とが面一となる、若しくは、前記凸部の上面が前記挿通口の周縁における前記バーナカバーの上面より上方に位置することを特徴とする請求項１記載のガスコンロ。
【請求項３】
前記バーナカバーが、前記コンロバーナに具備する取付部に対して上下方向及び水平方向に移動可能に備えられ、前記上方向への付勢力によって前記リング状の庇部が前記バーナカバーの下面に当接することを特徴とする請求項１または２記載のガスコンロ。
【請求項４】
前記リング状の庇部の下面に放熱体が形成されることを特徴とする請求項１乃至３のいずれか一項に記載のガスコンロ。
【請求項５】
前記リング状の庇部の下面に複数の溝を放射状に刻設して前記放熱体が形成されることを特徴とする請求項４記載のガスコンロ。
【発明の詳細な説明】
【技術分野】
【０００１】
本発明は、ガスコンロ
【背景技術】
【０００２】
従来、バーナ部の中央に貫通する貫通孔を貫通して上方に臨み、上方向への付勢力によって付勢されて調理容器の底部に当接してその温度を検出する温度センサを備えたガスコンロが知られている（例えば特許文献１参照）。
【０００３】
特許文献１に示される従来例にあっては、バーナ部の貫通孔内の上部に、内径を小さくした小径段部が設けられている。温度センサは、バーナカバーより下に位置して温度センサの全周より径外方向に延出するリング状の庇部を備えている。庇部は、温度センサが調理容器が載置されて押下げられた状態では、貫通孔の小径段部から離間され、温度センサが調理容器に当接されず上方へ付勢移動された状態では、貫通孔の小径段部に当接して、貫通孔と温度センサとの間の隙間を塞ぐように構成される。
【先行技術文献】
【特許文献】
【０００４】
【特許文献１】特開２０１２−１０２９３８号公報
【発明の概要】
【発明が解決しようとする課題】
【０００５】
上記特許文献１に示される従来例にあっては、調理容器が載置されていない時に、遮熱カバー（センサカバー）が、バーナ部を構成するバーナキャップの穴に対してバネによる付勢力によって当接しているため、この付勢力が例えば部品バラつき等により強過ぎた場合、バーナキャップが載置しているバーナ部を構成するバーナヘッド（バーナ本体）から浮き上がってしまうことで、調理容器が温度センサを押し下げていない状態における燃焼を悪化させてしまう虞があり、改良の余地があるものであった。
【０００６】
また、特許文献１に示される従来例にあっては、例えば製造時のバラつき等によって、温度センサの中心とバーナキャップの中心とが偏心している場合には、バーナキャップがバーナヘッド（バーナ本体）に正しく載置される前に、センサカバーに当接してしまい、バーナキャップがバーナヘッド（バーナ本体）に適正に載置されず、燃焼を悪化させてしまう虞があり、改良の余地があるものであった。
【０００７】
本発明は上記従来の問題点に鑑みて発明したものであって、その目的とするところは、外部からの異物のガスコンロ内への侵入を抑えるために、温度センサ周辺部に形成されるバーナカバーとの間の隙間を塞ぐための庇部（シールド用センサカバー）を備えた、温度センサ付きのガスコンロにおいて、鍋などの調理容器が温度センサを押し下げていない状態（未使用状態）におけるデザイン性の向上と、部品のバラツキや製造バラツキの影響が抑制され、安定した燃焼を可能とすることにある。
【課題を解決するための手段】
【０００８】
前記課題を解決するために本発明は、外周に炎孔２８が形成されたコンロバーナ３の環状のバーナ部の中央を上下に貫通する貫通孔５０を下から上に貫通して上方に臨み、上方向への付勢力によって付勢されて調理容器Ａの底部に当接してその温度を検出する温度センサ１と、前記バーナ部の上面を覆い、温度センサ１が挿通する挿通口５３を具備するバーナカバー５２と、を備えたガスコンロ２であって、温度センサ１は、バーナカバー５２より下に位置して温度センサ１の径外方向に延出するリング状の庇部１４を備え、リング状の庇部１４の外形寸法が挿通口５３の内径寸法より大きく構成されることを特徴とする。
【０００９】
このように、リング状の庇部１４を設けることで、温度センサ１周辺部の穴が塞がれるので、外観意匠が美麗でデザイン性の良いコンロバーナ３になるとともに、鍋などの調理容器Ａが温度センサ１を押し下げていない状態において温度センサ１周辺部から異物のガスコンロ２内への侵入を抑制することが可能になる。
【００１０】
また、リング状の庇部１４の上面に、凸部１５が上方に向け突設され、リング状の庇部１４がバーナカバー５２の下面に近接したときに凸部１５が挿通口５３に嵌入して、凸部１５の上面１５ａと挿通口５３の周縁におけるバーナカバー５２の上面５２ａとが面一となる、若しくは、凸部１５の上面１５ａが挿通口５３の周縁におけるバーナカバー５２の上面５２ａより上方に位置することが好ましい。
【００１１】
このように、凸部１５を備えることで、リング状の庇部１４がバーナカバー５２の下面に当接したときに、バーナカバー５２に設けた挿通口５３に凸部１５が嵌入して、温度センサ１周辺の挿通口５３周縁の上面が面一に塞がれるので、外観意匠が一層美麗となるとともに、調理容器Ａからの煮こぼれが挿通口５３周辺に貯留することが抑制されて、手入れ性が向上する。また、調理容器Ａが温度センサ１に横方向から当接した場合、温度センサ１の横方向の移動が、挿通口５３に嵌入した凸部１５と挿通口５３周縁との当接によって規制されることで、温度センサ１のガスコンロ２への取付部が変形してしまい温度センサ１が傾いてしまうことが抑制される、若しくは、異物（水分）が挿通口５３の径外方向に移動することが促進されて、ガスコンロ２内への異物の侵入をより確実に防ぐことが可能になる。
【００１２】
また、バーナカバー５２が、コンロバーナ３に具備する取付部に対して上下方向及び水平方向に移動可能に備えられ、前記上方向への付勢力によってリング状の庇部１４がバーナカバー５２の下面に当接することが好ましい。
【００１３】
このように、バーナカバー５２がコンロバーナ３に具備する取付部に対して上下方向及び水平方向に移動可能に備えられているので、部品のバラツキや製造バラツキがあった場合でも、コンロバーナ３に過度な外力が加えられることによるコンロバーナ３を構成する部品のズレなどが生じることが抑制されるので、燃焼の悪化を防止することが可能となる。
【００１４】
また、リング状の庇部１４の下面に放熱体１７が形成されることが好ましい。
【００１５】
このように、リング状の庇部１４の下面に放熱体１７が形成してあるので、温度センサ１の冷却が促進されて、コンロバーナ３による加熱時にも調理容器Ａの温度をより正確に検出することが可能になる。
【００１６】
また、リング状の庇部１４の下面に複数の溝１６を放射状に刻設して放熱体１７が形成されることが好ましい。
【００１７】
このように、リング状の庇部１４の下面に複数の溝１６を放射状に刻設するだけで、簡単に放熱体１７が形成可能である。
【発明の効果】
【００１８】
本発明のガスコンロにあっては、部品のバラツキや製造バラツキの影響が抑制され、安定した燃焼が可能となる。
【図面の簡単な説明】
【００１９】
【図１】本発明の一実施形態のガスコンロの平面図である。
【図２】同上の実施形態におけるコンロバーナ付近の側断面図である。
【図３】同上の実施形態において調理容器が温度センサを押し下げていない状態における温度センサ付近の側断面図である。
【図４】同上の実施形態において調理容器が温度センサを押し下げている状態における温度センサ付近の側断面図である。
【図５】同上の実施形態における庇部の下面図である。
【図６】同上の実施形態におけるバーナキャップの斜め下方より見た斜視図である。
【図７】同上の実施形態における作用を説明する温度センサ付近の側断面図である。
【図８】他の実施形態における作用を説明する温度センサ付近の側断面図である。
【発明を実施するための形態】
【００２０】
以下、本発明の一実施形態について添付図面に基づいて説明する。
【００２１】
図１には、鍋底の温度を検出する温度センサ１を備えるガスコンロ２を示し、このガスコンロ２は、コンロ本体２０の上面を覆う天板２１にバーナ用開口２２（図２参照）が配設され、コンロ本体２０内に配置したコンロバーナ３をバーナ用開口２２に臨ませている。なお、天板２１上には、コンロバーナ３を囲むように五徳２３が載置される。
【００２２】
図１乃至図４に示すように、コンロバーナ３には、鍋底の温度を検出する温度センサ１が、ガスコンロ２に付設されている。なお、温度センサ１はガスコンロ２内に備え、コイルばねからなる図示しない付勢手段によって上方向に付勢されている。
【００２３】
そして、このガスコンロ２は、五徳２３上に載置した調理容器Ａ（図４参照）をコンロバーナ３の炎で加熱し、また、温度センサ１が調理容器Ａの底部に当接して調理容器Ａの温度を検知するようにしている。
【００２４】
なお、本実施形態におけるガスコンロ２は、その左右方向中央にグリルを備えるグリル付ガステーブルコンロであり、図１に示すように、グリルの前面にはグリルの前面に備えるグリル扉を開閉するグリル扉取っ手２４を備え、天板２１の後方には、グリルからの排ガスを排出するグリル排気口２５が配設されている。
【００２５】
また、ガスコンロ２の前面には、左側コンロ用コンロバーナ３ａの点消火を行うための点消火操作部２６ａ、および、右側コンロ用コンロバーナ３ｂの点消火を行うための点消火操作部２６ｂ、および、図示しないグリルに備えるグリルバーナの点消火を行うための点消火操作部２６ｃが配設されている。
【００２６】
なお、本実施形態として、グリル付ガステーブルコンロを一例として説明するが、本発明はグリル付ガステーブルコンロに限定されるものではなく、グリルを備えていないガスコンロやキッチンカウンターの上部に設けた開口に設置されるドロップインタイプのガスコンロに対しても適用可能である。
【００２７】
図２に示すように、コンロバーナ３は、燃料としてのガスと一次空気とを混合する混合管４１と、混合管４１に連なる環状のバーナ本体４と、バーナ本体４上に載置されるバーナキャップ５とにより構成される。
【００２８】
バーナ本体４の外周面は、天板２１のバーナ用開口２２に取り付けられるバーナリング２７のバーナ嵌入孔２７ａに嵌入される。バーナ本体４上には、その外周側面に炎孔２８（図６参照）が多数形成されたバーナキャップ５が着脱自在に載置され、バーナ本体４とバーナキャップ５とでバーナ部を構成する。
【００２９】
図６に示すように、バーナキャップ５は、略円板状に形成され、その中央に貫通孔５０が設けられており、この貫通孔５０内に鍋底の温度を検出する温度センサ１（図３等参照）が下から上に挿通される。
【００３０】
バーナキャップ５は、図６に示すように、下面に放射状に多数のガス整流用溝５１が形成されており、バーナキャップ５がバーナ本体４に載置された状態で、バーナ本体４から供給された混合気がガス整流用溝５１を通ってこのガス整流用溝５１のバーナキャップ５における外周側面における端部から噴出して燃焼させ炎が形成される。
【００３１】
つまり、バーナキャップ５の下面に放射状に形成されるガス整流用溝５１のバーナキャップ５における外周側面における端部が炎孔２８を構成する。なお、本実施形態においては炎孔２８はバーナキャップ５に設けてあるがバーナ本体４側に設けたものでもよい。また、バーナキャップ５の周囲には、炎検知器としての熱電対（図示せず）や点火プラグ２９（図２参照）が配設される。
【００３２】
図２、図３、図４に示すように、鍋底の温度を検出する温度センサ１は、バーナキャップ５の中央の貫通孔５０に挿通され、この貫通孔５０との間に隙間を存して立設される。この温度センサ１は、上端が五徳２３の上面より高く配置されて五徳２３に載置する調理容器Ａの底部に当接してその温度を検出する。温度センサ１は、バーナ本体４の内方空間に立設した支持パイプ１１と、支持パイプ１１の上端に設けた感熱部１２とで構成される。
【００３３】
支持パイプ１１は、コンロバーナ３用の支持板（図示せず）に固定される。調理容器Ａの底部に当接する感熱部１２内部には、調理容器Ａの温度を検知するサーミスタ等の感熱素子（図示せず）が取付けられている。感熱部１２によって検出される調理容器Ａの検出温度信号は図示しないリード線を介して図示しない制御部に入力される。制御部は、感熱部１２によって検出される調理容器Ａの検出温度信号に基づいて、コンロバーナ３の火力制御を行う。
【００３４】
また、支持パイプ１１は図示しない付勢手段としてのコイルばねによって上方向に付勢されており、五徳２３に調理容器Ａが載置されていないときには、図２に示すように温度センサ１の上端つまり感熱部１２の上端位置は、五徳２３の上端より高い、調理容器不在位置に位置する。そして、調理容器Ａを五徳２３に載置したときには、図４に示すように感熱部１２が図４において破線で示される調理容器Ａの底部に当接して図示しない上述のコイルばねによる付勢力に抗して押し下げられ、温度センサ１の上端つまり感熱部１２の上端位置は、図２に示す五徳２３の上端とほぼ同じ高さの、調理容器存在位置に位置することになる。
【００３５】
ちなみに、図２に示すように、支持パイプ１１の上下位置に応じてＯＮ／ＯＦＦするスイッチ１３を備えており、五徳２３への調理容器Ａの載置、非載置に応じて温度センサ１が上下動することに対応して、スイッチ１３がＯＮ／ＯＦＦし、スイッチ１３のＯＮ／ＯＦＦ信号が図示しない制御部に入力され、制御部は調理容器Ａの五徳２３への載置、非載置を検出し、制御部は載置、非載置の検出に応じて、コンロバーナ３の消火や火力制御を行う。
【００３６】
ここで、本実施形態におけるガスコンロ２は、五徳２３上に調理容器Ａが配置されないコンロバーナ未使用時に、調理容器Ａからの種々の飛翔物Ｂや水滴Ｗ等の異物（図７参照）がバーナキャップ５に設けた貫通孔５０からコンロ本体２０内部に浸入しないようにしてあり、この点に関し以下に説明する。
【００３７】
図２乃至図４に示すように、バーナキャップ５の上面には、バーナキャップ５から所定の間隔を隔ててバーナキャップ５の上面を覆い、バーナキャップ５に設けた貫通孔５０に対応する位置に温度センサ１が挿通する挿通口５３を穿設したバーナカバー５２を配置してある。
【００３８】
また、前記温度センサは、バーナカバー５２より下に位置して温度センサ１の径外方向に延出するリング状の庇部１４（シールド用センサカバー）を備え、リング状の庇部１４の外形寸法が挿通口５３の内径寸法より大きく構成される。
【００３９】
リング状の庇部１４を設けることで、温度センサ１周辺部で挿通口５３が塞がれて、外観意匠が美麗でデザイン性の良いコンロバーナ３になり、また、調理容器Ａが温度センサ１を押し下げていない状態において温度センサ１周辺部から飛翔物Ｂのガスコンロ２内への侵入を抑制することが可能になる。
【００４０】
また、リング状の庇部１４の上面には、図３、図４に示すように、凸部１５が上方に向け突設され、リング状の庇部１４がバーナカバー５２の下面に近接したときに凸部１５が挿通口５３に嵌入して、凸部１５の上面１５ａと挿通口５３の周縁におけるバーナカバー５２の上面５２ａとが面一となる。
【００４１】
凸部１５を備えることで、リング状の庇部１４がバーナカバー５２の下面に近接したときに、バーナカバー５２に設けた挿通口５３に凸部１５が嵌入して、温度センサ１周辺の挿通口５３周縁の上面が面一に塞がれるので、外観意匠が美麗になり、また、調理容器Ａからの煮こぼれが挿通口５３周辺に貯留することが抑制されて、ガスコンロ２の手入れ性が向上する。
【００４２】
また、調理容器Ａが温度センサ１の横方向から当接した場合、温度センサ１の横方向への移動が、挿通口５３に嵌入した凸部１５の外周と挿通口５３の周縁との当接によって規制されることで、温度センサ１のガスコンロ２への取付部が変形して温度センサ１が傾いてしまうことが抑制される。
【００４３】
なお、バーナカバー５２は、コンロバーナ３に具備する取付部（図示せず）に対して上下方向及び水平方向に移動可能となるように、固定具によるバーナカバー５２のコンロバーナ３に具備する取付部への締結が所定のクリアランスを介して備えられており、調理容器Ａの非載置状態においては、上述のコイルばねによる付勢力によってリング状の庇部１４の外周上面がバーナカバー５２の下面に当接する。
【００４４】
バーナカバー５２がコンロバーナ３に具備する取付部に対して上下方向及び水平方向に移動可能に備えられているので、上述のコイルばねによる付勢力によってリング状の庇部１４の外周上面がバーナカバー５２の下面に当接したときに、部品のバラツキや製造バラツキがあった場合でも、コンロバーナ３に過度な外力が加えられることによってバーナを構成する部品であるバーナキャップ５のズレなどが生じることが抑制されるので、バーナを構成する部品のズレによる燃焼の悪化を防止することが可能となる。
【００４５】
また、本実施形態では、図５に示すように、リング状の庇部１４の下面には、放射状の溝１６が刻設されており、放射状の溝１６によってリング状の庇部１４の放熱が促進され、放射状の溝１６は放熱体１７を構成する。
【００４６】
リング状の庇部１４の下面に放熱体１７が形成してあるので、温度センサ１の冷却が促進されて、コンロバーナ３による加熱時にも調理容器Ａの温度をより正確に検出することが可能になる。
【００４７】
本実施形態ではリング状の庇部１４の下面に放射状の溝１６を複数刻設するだけで、簡単に放熱が形成されており、製造コストの低減が可能である。
【００４８】
なお、放熱体１７をフィン等によって構成してもよい。
【００４９】
以上のように構成されているから、図７に示すように、ガスコンロ２の未使用状態である調理容器Ａの非載置状態において、飛翔物Ｂが温度センサ１周辺に落下した場合にも、リング状の庇部１４によってこの飛翔物Ｂが受け止められるからこの飛翔物Ｂがガスコンロ２内部に侵入することが防止され、また、ガスコンロ２の使用状態である調理容器Ａの載置状態において調理容器Ａから吹きこぼれた煮汁が調理容器Ａの底を伝って温度センサ１の周辺に落下した時などにも、リング状の庇部１４によってこの煮汁が受け止められるからこの煮汁がガスコンロ２内部に侵入することが抑制されてガスコンロ２内部が清潔に保たれる。
【００５０】
また、五徳２３上に調理容器Ａが載置されない調理容器Ａの非載置状態において、平面視においてリング状の庇部１４の上面に突設した凸部１５の上面１５ａとバーナカバー５２とが挿通口５３周縁において面一になるので、ガスコンロ２の見栄えがよい。
【００５１】
さらに説明すると、図４に示すように、調理容器Ａの載置状態となるガスコンロ２の使用時には、温度センサ１が調理容器Ａにより押下げされてリング状の庇部１４がバーナカバー５２の下面から離間され、コンロ本体２０内の空気の流れＦが、図４中の矢印に示すように、貫通孔５０を経て、リング状の庇部１４とバーナカバー５２との間を流れるから、リング状の庇部１４が冷却され、コンロバーナ３からの熱で温度センサ１が過熱されることが防止されて、温度センサ１による調理容器Ａの温度の誤検知を防止することができる。
【００５２】
次に、他の実施形態について図８に基いて以下に説明する。なお、以下の説明において、上記実施形態と同じ構成については同符号を付して説明を省略し、主に異なる構成について説明する。
【００５３】
五徳２３上に調理容器Ａが載置されない調理容器Ａの非載置状態において、凸部１５がバーナカバー５２の上面５２ａより少し上方に位置するように構成しても良い。このように構成することで、飛翔物Ｂや水滴Ｗ等の異物が挿通口５３の径外方向に移動することが促進されて、ガスコンロ２内への異物の侵入をより確実に防ぐことが可能になる。
【００５４】
また、さらに他の実施形態として、上記いずれかの実施形態において、リング状の庇部１４の表面に、撥水性コーティング等の表面処理を施してもよい。このように構成することで、飛翔物Ｂや水滴Ｗ等の異物の挿通口５３からの器具への侵入をより確実に防ぐことが可能となる。
【００５５】
また、上記いずれかの実施形態においては、調理容器Ａの非載置状態において、上述のコイルばねによる付勢力によってリング状の庇部１４の外周上面がバーナカバー５２の下面に当接するように構成してある。これに対し、さらに他の実施形態として、調理容器Ａの非載置状態において、上述のコイルばねによる付勢力によってリング状の庇部１４の外周上面がバーナカバー５２の下面に当接せず、リング状の庇部１４の外周上面とバーナカバー５２の下面との間に、水によって水封されてコンロ本体２０内には水が浸入しない程度の隙間が存在するように構成してもよい。
【符号の説明】
【００５６】
１    温度センサ
１１  支持パイプ
１２  感熱部
１３  スイッチ
１４  庇部
１５  凸部
１６  溝
１７  放熱体
２    ガスコンロ
２０  コンロ本体
２１  天板
２２  バーナ用開口
２３  五徳
２４  グリル扉取っ手
２５  グリル排気口
２６ａ  点消火操作部
２６ｂ  点消火操作部
２６ｃ  点消火操作部
２７  バーナリング
２７ａ  バーナ嵌入孔
２８  炎孔
２９  点火プラグ
３    コンロバーナ※
３ａ  左側コンロ用コンロバーナ
３ｂ  右側コンロ用コンロバーナ
４    バーナ本体（バーナ部）
４１  混合管
５    バーナキャップ（バーナ部）
５０  貫通孔
５１  ガス整流用溝
５２  バーナカバー
５３  挿通口
Ａ    調理容器
Ｂ    飛翔物（異物）
Ｆ    空気の流れ
Ｗ    水滴（異物）
【図１】
2015064126.tif 000003
【図２】
2015064126.tif 000004
【図３】
2015064126.tif 000005
【図４】
2015064126.tif 000006
【図５】
2015064126.tif 000007
【図６】
2015064126.tif 000008
【図７】
2015064126.tif 000009
【図８】
2015064126.tif 000010